(57)【要約】      （修正有）【課題】スーパーマーケット等におけるレジカウンターへの買い物籠の搬入及び移動を、簡単な構造にて軽い力で実施することができるレジカウンター構造、及び、レジカウンターとショッピングカートとでなるレジカウンターシステムを提供する。【解決手段】買い物籠Ｗを、買い物客Ｙの買い物客の通路側からレジ担当者Ｇ側に押し込む方向に、買い物籠Ｗのスライド促進部材としての回転ロール１の上面を露出させて設けたレジカウンターＴとした。なお、スライド促進部材は回転ロール１以外で実施してもよく、さらにレジカウンターＴにショッピングカートをスライド自在に嵌合させるレジカウンターシステムとして実施することもできる。【選択図】図６
2017140337.tif 000002
【特許請求の範囲】
【請求項１】
買い物籠を買い物客の通路側からレジ担当者側に押し込む方向、及び又は、レジ担当者から買い物客の通路側に押し出す方向に移動させた際、その移動力を軽減させるスライド促進部材を、その上面が載置面から露出するように配置して設けたことを特徴とするレジカウンター
【請求項２】
スライド促進部材は、棒状の回転ローラ、及び又は、回転ボールからなる回転部材で構成することを特徴とする請求項１に記載のレジカウンター
【請求項３】
スライド促進部材は、買い物客の通路側端面からレジ担当者側に向かって、少なくとも買い物籠の底面の面積の約半分に接触する範囲に設けたことを特徴とする請求項１又は請求項２に記載のレジカウンター
【請求項４】
買い物客の通路側の壁面に、断面略Ｌ字型のレール状嵌合部を水平方向に設けたレジカウンターと、買い物籠載置面形成部の壁面に嵌合片を設けたショッピングカートとで構成され、上記レジカウンターに設けた断面略Ｌ字型のレール状嵌合部に対して上記ショッピングカートの嵌合片を嵌合させた状態で、ショッピングカートを移動可能としたことを特徴とするレジカウンターシステム。
【請求項５】
ショッピングカートの買い物籠載置面の高さは、レジカウンター上のスライド促進部材の上面の高さと略同一に形成することを特徴とする請求項４に記載のレジカウンターシステム
【請求項６】
レジカウンターは、請求項１から請求項３のいずれか１項に記載のレジカウンターを使用したことを特徴とする請求項５に記載のレジカウンターシステム
【請求項７】
ショッピングカートの買い物籠載置面の高さは、レジカウンター上のスライド促進部材の上面の高さと略同一に形成することを特徴とする請求項５又は請求項６に記載のレジカウンターシステム
【発明の詳細な説明】
【技術分野】
【０００１】
本発明は、スーパーマーケット等において購入商品の料金精算の際に使用されるレジカウンター、及び、そのレジカウンターとショッピングカートとで構成されるレジカウンターシステムに関するものである。
【背景技術】
【０００２】
スーパーマーケット等におけるレジカウンターの使用方法は、通常、図１（ａ）で表わす正面図及び図１（ｂ）で表わす平面図に示すように、先ず、レジ担当者Ｇが空の買い物籠Ｗ０を準備した状態で、買い物客Ｙが手で持ったりショッピングカートで運ばれた買い物籠Ｗ１、Ｗ２を搬入スペースＴａに載置することから始まる。
尚、図中のＲは電子多項目キーボード、Ｃは自動釣銭機である。
【０００３】
そして、図２（ａ）の破線の矢印で表わすように、買い物籠Ｗ１に入った商品Ｓ１を、レジ担当者Ｇが準備した買い物籠Ｗ０に移される。
次に、図２（ｂ）の矢印で表わされるように、商品Ｓ１の入った買い物籠Ｗ０は、レジ担当者ＧによってレジカウンターＴの搬出スペースＴｂに移動され、空になった買い物籠Ｗ１はレジ担当者Ｇの前に移動され、さらに商品Ｓ２の入った買い物籠Ｗ２がレジ担当者Ｇ側に移動される。
この状態から、図２（ｃ）のように、商品Ｓ１の入った買い物籠Ｗ０はレジカウンターＴから搬出され、空になった買い物籠Ｗ１には、買い物籠Ｗ２に入った商品Ｓ２が移される。
そして新たに商品Ｓ３の入った買い物籠Ｗ３が、搬入スペースＴａに載置されることになる。
以上の作業を繰り返すことにより、図２（ｄ）のように、買い物の精算は途切れることなく連続して行われる。
このように、買い物籠は、次の買い物客の商品の移し替え用の籠に使用されることにより、搬入から搬出までレジカウンターＴ上を移動することになる。
【０００４】
なお、図３に表わすように、商品が大きいものや重いもの（Ｓ４）等は、買い物籠Ｗ４を移し替えることなく、レジカウンターＴ上で搬出から搬入が行われることもある。
また、図示しないが、そのような商品は、買い物籠に入れられることなくレジカウンターＴ上で、搬出から搬入が行われることもある。
【０００５】
なお、図４に表わすように、商品の搬入用の買い物籠Ｗａ、Ｗａ・・・と、搬出用の買い物籠Ｗｂ、Ｗｂ・・・とは区別して使用する運用方法もある。
この場合には、搬入用の買い物籠Ｗａ、Ｗａ・・・は、レジカウウターＴ上をレジ担当者Ｇ側に押し込むように移動した後に積み重ねて収納され、予め積み重ねられた搬出用の買い物籠Ｗｂ、Ｗｂ・・・は、搬入商品毎に準備して使用する事になる。
従って、同じ買い物籠がレジカウンター上を搬入から搬出まで移動することはないが、総合的には、買い物籠がレジカウンターＴを全面的に移動することについては同様ということになる。
【０００６】
なお、近年は、スーパーマーケットが中心街から郊外に多設されることに伴い、買い物もまとめ買いが増えつつあるため、買い物籠内の商品量の増加に伴い必然的に重量も増える傾向にあり、重くなった買い物籠に対するお客やレジ担当者への重量面での労力負担については憂慮すべき状況にあると思料される。
ただ、このような背景でありながら、この分野における改良技術は少なく、例えば特許文献１のチェックアウトシステムには搬送技術としてベルトコンベアを使った搬送技術が開示されているが、装置が大掛かりで利用しにくいものであり、上述したお客やレジ担当者の重量的な労力の負担の軽減についての細かな配慮については、改善の余地が残されている状況となっている。
【先行技術文献】
【特許文献】
【０００７】
【特許文献１】特開平７−３２０１６４号
【発明の概要】
【発明が解決しようとする課題】
【０００８】
そこで本発明は、簡単な構造でありながら、お客やレジ担当者の重量的な労力の負担の軽減をすることができるレジカウンター、及び、ショッピングカートを使った場合には買い物客の労力をさらに軽減できるレジカウンターとショッピングカートとで構成するレジカウンターシステムについて提供することを課題とする。
【課題を解決するための手段】
【０００９】
上記課題を解決すべく鋭意検討の結果、本発明は、買い物籠を買い物客の通路側からレジ担当者側に押し込む方向、及び又は、レジ担当者から買い物客の通路側に押し出す方向に移動させた際、その移動力を軽減させるスライド促進部材を、その上面が載置面から露出するように配置して設けた構成のレジカウンターとした。
このようにすれば、簡単な構造で実現することが可能となる。
その場合、スライド促進部材は、棒状の回転ローラ、及び又は、回転ボールからなる回転部材で構成するのが好ましい対応となる。
この構成であれば、機械的に安定した作用を奏することが可能となる。
なお、スライド促進部材は、買い物客の通路側端面からレジ担当者側に向かって、少なくとも買い物籠の底面の面積の約半分に接触する範囲に設けると、レジカウンターに買い物籠を安定した状態で載置することができるので好適である。
【００１０】
一方、買い物客の通路側の壁面に、断面略Ｌ字型のレール状嵌合部を水平方向に設けたレジカウンターと、買い物籠載置面形成部の壁面に嵌合片を設けたショッピングカートとで構成され、レジカウンターに設けた断面略Ｌ字型のレール状嵌合部に対してショッピングカートの嵌合片を嵌合させた状態で、ショッピングカートを移動可能とするレジカウンターシステムとすることが好ましい。
このようにすれば、ショッピングカートはレジカウンターと移動可能に嵌合する為、買い物籠を無駄なく安定した状態で、レジカウンターに搬入できるので、買い物客の労力を軽減することができる。
なお、ショッピングカートの買い物籠載置面の高さは、レジカウンター上のスライド促進部材の上面の高さと略同一に形成するようにしてもよい。
そうすれば、買い物籠を持ち上げることなく、スライド状態でレジカウンター上に移動できるので、さらに買い物客の労力を軽減することができる。
【発明の効果】
【００１１】
買い物籠等を軽い力で移動できるため、買い物客やレジ担当者の重量的な労力の軽減することができ、作業効率が向上する。
なお、簡単な機械的構成で実現できるため、故障しにくく、安定した作用効果を得ることができる。
また、ショッピングカート使用も対象としているため、買い物客の多量のまとめ買いもしやすくなる利点もある。
【図面の簡単な説明】
【００１２】
【図１】従来のレジカウンターの使用方法を現したものであり、（ａ）は正面図（ｂ）は平面図を示す。
【図２】従来のレジカウンター使用状況を表わす平面図であり、（a）は買い物籠の最初の裁置状態、（ｂ）は買い物を移動させた状態、（ｃ）は買い物籠の搬出及び搬入状況、（ｄ）は搬入及び搬出が連続して行なわれる状況を示す。
【図３】従来のレジカウンター使用状況における同一の買い物籠を使用する状況を表わす平面図を示す。
【図４】従来のレジカウンター使用状況における搬入と搬出の買い物籠を分けて使う状況を表わす平面図を示す。
【図５】本発明の実施例１を表わしたものであり、（ａ）は平面図、（ｂ）はＡ−Ｂ拡大断面図、（ｃ）は変形例を示す。
【図６】本発明の実施例１の使用状態を表わす平面図を示す。
【図７】本発明の実施例１の使用状態を表わしたものであり、（ａ）はＣ−Ｄ拡大断面図、（ｂ）はさらに拡大した断面図を示す。
【図８】本発明の実施例１の変形例の平面図を表わしたものであり、（ａ）回転ローラを全幅に設けた状態、（ｂ）はさらに横方向にも追加した状態を示す。
【図９】本発明の実施例２を表わしたものであり、（ａ）は平面図、（ｂ）は拡大断面図、（ｃ）は変形例の断面図を示す。
【図１０】本発明の実施例２の変形例の平面図を示す。
【図１１】本発明の実施例１と実施例２を併用した変形例の平面図を示す。
【図１２】本発明の実施例３を表わしたものであり、（ａ）は平面図、（ｂ）は拡大断面図を示す。
【図１３】本発明の実施例３と実施例２を併用した変形例の平面図を示す。
【図１４】本発明の実施例４の平面図を示す。
【図１５】本発明の実施例４の使用状態を表す平面図を示す。
【図１６】本発明の実施例４の変形例の使用状態を表す平面図であり、（ａ）は両端の回転ロール間に回転ボールを配置した構成、（ｂ）は長手方向端部と短手方向端部に回転ロールを設けその間に回転ボールを配置した構成を示す。
【図１７】本発明の実施例４におけるショッピングカート嵌合前の（ａ）は正面図、（ｂ）は平面図、（ｃ）は側面図、（ｄ）は拡大側面図に示す。
【図１８】本発明の実施例４におけるショッピングカート嵌合状態の（ａ）は正面図、（ｂ）は平面図、（ｃ）は側面図、（ｄ）は拡大側面図、（ｅ）は（ｄ）の構成の変形例を示す。
【図１９】本発明のショッピングカートから買い物籠をレジカウンターに搬入する状態をあらわしたものであり、（ａ）は平面図、（ｂ）は拡大断面図、（ｃ）は買い物籠の搬出状態を含む平面図を示す。
【発明を実施するための形態】
【００１３】
本発明は、簡単な構成でありながら、買い物籠をレジカウンター上に軽い力で移動させることができ、ショッピングカートからのレジカウンターへの買い物籠の移動の労力も軽減させることができることを特徴としたものであり、以下、実施例及び変形例に沿って詳細に説明する。
【実施例１】
【００１４】
図５は、実施例１及びその変形例を表したものであり、（ａ）は平面図、（ｂ）はＡ−Ｂ拡大断面図、（ｃ）は変形例を示す。
本実施例においては、レジカウンターＴの上面の中央に設置された電子多項目キーボードＲの左右に形成される買い物籠搬入スペースＴａと、買い物籠搬出スペースＴｂとの買い物客の通路Ｐ側に、スライド促進部材として、夫々回転ローラ１を３本づつ配置したものである。
【００１５】
具体的には、図５（ｂ）のように、回転ローラ１の本体部１ａの両端に軸部１ｂを形成し、そこに軸受部材２を差し込んだ状態で、この軸受部材２を、回転ローラ収納枠体３に取付けることにより、回転ローラ１は回転ローラ収納枠体３内に回転自在に収納される。
そして、この回転ローラ収納枠体３，３は、鋼板等でなるレジカウンター本体４と、レジカウンターＴの上面を形成する合成木材等でなる天板ボード５に設けられた切欠き部６，６とで形成されるスペースに、接着等の手段で取り付けられる。
この時、回転ローラ１の本体部１ａの上面１ｃは、レジカウンターＴの載置面Ｔｃより突出するように構成される。
【００１６】
なお、回転ローラは、単なる一体構造のものに限らず、それ自体が回転機能を有する構成のものを使用してもよい。
図５（ｃ）は、市販されている１例の商品の断面を示したものである。
即ち、回転ローラ７は、樹脂製の外筒部７ａ、内筒部７ｂ、カバー７ｃと、内筒部７ｂとカバー７ｃ間に収納された複数のステンレス球体７ｄとからなり、内筒部７ｂには金属製等の軸部８を固定或いは遊嵌合状態に挿入して使用する。
この構成であれば、内筒部７ｂとカバー７ｃとは介在するステンレス球体７ｄによってスムーズに回転する効果がある。
【００１７】
次に、実施例１のレジカウンターに、買い物籠を搬入する際の作用について説明する。
図６は、買い物籠をレジカウンターの上面に載せた状態の平面図を示したものであり、図７（ａ）は図６のＣ−Ｄ拡大断面図、図７（ｂ）はさらに拡大した断面図を示している。
本実施例は、回転ローラ１上に買い物籠Ｗ置いて滑らせて使用するものであるので、買い物籠の底面全面をレジカウンター上におく必要は無い。
即ち、買い物籠の一端を持った状態でレジカウンターに置いたときに不安定でなければよく、その状態からレジ作業員側に向かって直ちに滑らせれば問題は無い。
従って、注意して扱えば回転ローラは１本でも効果を奏することができる。
【００１８】
但し、買い物籠の端を持った状態で安定状態を確実に維持するには、買い物籠の底面の面積の約半分が置かれる状況が好ましいので、回転ローラの設置範囲もそれに対応させるのが好ましいということになる。
そのような観点で、実施例１の回転ローラ１は設けられ、数量は３本を選択しているが、数量は状況に合わせて増減させても何ら問題は無い。
そして、図７に示すように、買い物籠Ｗは、安定した状態にてレジ担当者側に押し込めば、スムーズに移動することができる。
【００１９】
なお、回転ローラ１の配置面積は、多いほど買い物籠は移動しやすくなるので、状況によっては図８に示す変形例のように配置しても構わない。
即ち、図８（ａ）に示す変形例は、回転ローラ１が、買い物籠をレジ担当者側に押し込む幅全体に、搬入方向及び搬出方向の２列に、多数個設けられている。
また、図８（ｂ）に示す変形例は、回転ローラ１が、図８（ａ）に示す状況に加え、その間を横方向にスライドしやすいように、直行する方向に複数設けられている。
【実施例２】
【００２０】
図９は、実施例２及びその変形例を表したものであり、（ａ）は平面図、（ｂ）は拡大断面図、（ｃ）は変形例を示す。
本実施例は、スライド促進部材として、回転ボール１１を使用することを特徴としている。
即ち、図９（ｂ）の拡大断面図に示すように、回転ボール１１は、抜け止め部材１２と受け部材１３で形成される回転ボールユニット１４の空間１５に、上面１１ａが抜け止め部材１２の上面１２ａから露出した状態で、回動自在に収容される。
そして、回転ボールユニット１４を、天板ボード５に設けられた穴部１６とレジカウンター本体４とで形成されるスペースに接着等で取り付けられる．
なお、この回転ボールの収納構造は、必ずしもユニット化する必要は無く、図示しない各種の収納構造で実施してもよい。
【００２１】
そして、回転ボールの配置は、図９（ａ）に示すように、実施例１と同様に、買い物籠の底面の面積の約半分が裁置できる程度に、複数個を複数列設ける。
なお、本実施例では、３列で設けたが、これに限らず、適宜に実施してよいことは言うまでもない。
【００２２】
また、回転ボールは、市販されている各種のボールローラー構造にて実施しても良い。
図９（ｃ）は変形例として、その１例を示したものであり、回転ボール１１は、回転ボールユニット１４ａのユニット本体１７内に、下方に多数の小回転ボール１８を介在させた状態で圧入されている。
この構成は、小回転ボールにより、回転ボールの回動がスムーズに行なわれる利点がある。
【００２３】
なお、回転ボールの配置等については、実施例１と同様に、各種変形して実施しても良い。
例えば、図１０に示すように、レジカウンターＴの載置面Ｔｃの略全面に設けてよい。
また、図１１に示すように、実施例１で表した回転ローラ１の前方のスペースに、回転ボールを複数配置するようにしても良い。
【実施例３】
【００２４】
スライド促進部材としては、これまで説明した構成以外の構成で実施してもよく、本実施例は、図１２で表わす（ａ）の平面図、（ｂ）の断面図で示すように、テフロン（登録商標）等の滑り性の優れた材料或いは滑り性の良い表装材をコーティングした材料でなる高滑り材２０を、客の通路側からレジ担当者側に向かう方向及びレジ担当者から客の通路側に向かう方向に複数本形成することを特徴としている。
もちろんこの構成においても、他のスライド促進部材と併用して用いることは可能であり、例えば図１３に表わすように、実施例２で説明した回転ボール１１構造を併用して用いてもよい。
【実施例４】
【００２５】
これまでの実施例は、レジ担当者の正面に対し買い物客が対面する状態で、レジカウンター上に、買い物籠を移動させやすいようにスライド促進部材を設ける構成を示してきたが、本発明は、買い物籠を買い物客の通路側からレジ担当者側に押し込む方向、及び又は、レジ担当者から買い物客の通路側に押し出す方向に作用するスライド促進部材が設けられていればよいことを特徴としているので、スライド促進部材は、買い物客の位置に合うように自由に配置すればよい。
【００２６】
一例として、レジカウンターの長手方向の端部側にも買い物客の通路Ｐが形成されている状況下では、レジカウンターの端部、即ち、レジ担当者の側面方向にスライド促進部材を設ける構成で実施してもよい。
【００２７】
図１４は、その状況の実施例４を表したものであり、レジカウンターＴの長手方向の端部側にも買い物客の通路Ｐが形成されている状況下で、レジカウンターＴの長手方向の両端部に、それぞれ回転ローラ１を３本づつ設けている。
そして、図１５の使用状態を示す平面図に示すように、買い物客ＹがレジカウンターＴの長手方向の端部に買い物籠Ｗを乗せ。レジ担当者Ｇ側に押し込むと、回転ローラが回転することにより、買い物籠はスムーズに移動することになる。
【００２８】
なお、本実施例においても、スライド促進部材は各種に変形して実施することが可能であり、その一例について図１６を用いて説明する。
図１６（ａ）は、レジカウンターＴの長手方向の両端に回転ローラ１をそれぞれ３本づつ配置し、その間に多数の回転ボール１１を配置した変形例であり、買い物籠の回転ローラとレジ担当者間をよりスムーズにスライドさせることができる。
また、図１６（ｂ）の変形例では、複数の回転ローラ１を、レジカウンターＴの長手方向の一端と、電子多項目キーボードＲを介在させた位置の短手方向の端部をそれぞれ設けており、その間に多数の回転ボール１１を配置した構成としている。
【００２９】
その他、図示しないが、図１６（ａ）における回転ローラ１も多数の回転ボール１１と置き換えたり、前述した高滑り材も使用するなど、スライド促進部材は適宜に選択し配置することが可能である。
【実施例５】
【００３０】
次に、レジカウンターとショッピングカートでなる、レジカウンターシステムについて図１７〜図１９を用いて説明する。
なお、図１７はレジカウンターとショッピングカートの嵌合前、図１８はレジカウンターとショッピングカートの嵌合状態、図１９はショッピングカートから買い物籠をレジカウンターに搬入する状態を示したものである。
また、図中、Ｇはレジ担当者、Ｙは買い物客を示している。
【００３１】
本実施例においては、図１７（ａ）の正面図、（ｂ）の平面図、（ｃ）の側面図、（ｄ）の拡大側面図に示すように、レジカウンターＴの買い物客の通路Ｐ側の側面に、断面略Ｌ字型のスライド嵌合部２１が、ビス止め等適宜の方法で水平状態に取り付けられる。
この断面略Ｌ字型のスライド嵌合部２１は、Ｌ字部を形成する金属製の複数の取付片２２，２２，２２・・・と、金属製の丸棒でなるレール部材２３とを溶接にて結合して形成される。
この方法は部材が少なくて済むので軽量化する利点を有するが、一体型の引き抜き材料を使用する等、作製方法はこれに限らず任意の方法で実施しても構わない。
【００３２】
そして、ショッピングカートＫのレジカウンターＴに沿う側面側には、上記レジカウンターＴに取り付けられた断面略Ｌ字型のスライド嵌合部２１に、隙間をもって嵌合する嵌合片２４が溶接にて取り付けられている。
なお、この嵌合片２４は、太い丸棒を折り曲げて形成しているが、この場合も、適宜の材料や形態で実施しても支障はない。
【００３３】
そして、ショッピングカートＫを、その側面が、レジカウンターＴの買い物客の通路Ｐ側の側面に接触させるような状態として移動していくと、図１８（ａ）の正面図、（ｂ）の平面図、（ｃ）の側面図、（ｄ）の拡大側面図に示すように、レジカウンターＴに取り付けられた断面略Ｌ字型のスライド嵌合部２１に、ショッピングカートＫの嵌合片２４が隙間をもって嵌合するので、ショッピングカートＫは、レジカウンターＴとの結合状態を維持した状態で移動することが可能となる。
従って、ショッピングカートＫに乗せられている買い物籠Ｗは、レジカウンターＴに最短距離でレジカウンターに搬入させることができるので、買い物客の労力を少なくすることができるという利点が生じる
【００３４】
なお、断面略Ｌ字型のスライド嵌合部と嵌合片とは、上記実施例に限らず、逆Ｌ字状構造として実施することも可能である
即ち、図１８（ｅ）の変形例に示すように、レジカウンターＴには上下を反対にした断面略Ｌ字型のスライド嵌合部２１ａを取り付け、ショッピングカートにはそれと嵌合するように上部が解放した状態の嵌合片２４ａを取り付けるようにしてもよい。
このように、本発明は、趣旨を逸脱しない範囲で各種に変形して実施することが可能である。
【００３５】
また、図１９（ａ）の買い物籠裁置状態の平面図に対応する（ｂ）の拡大断面図に示すように、本実施例では、ショッピングカートＫの買い物籠裁置面２５と、スライド促進部材である回転ロール１の上面１ｃとを同一に形成している。
従って、買い物籠Ｗは持ち上げることなく、レジカウンターＴの上面にスライドさせて搬入させることができるので、お客の労力をさらに軽減させることができる。
また、この作用は、図１９（ｃ）の買い物籠の搬入・搬出状態を示す平面図中の矢印で表わされる、買い物籠ＷのショッピングカートＫへの搬出にも同様な関係となる。
このように、ショッピングカートＫの買い物籠裁置面２５は、スライド促進部材の上面と略同一に形成するのが好ましい態様となる。
【００３６】
なお、この、レジカウンターとショッピングカートでなるレジカウンターシステムにおける、レジカウンターの断面略Ｌ字型のスライド嵌合部の設置場所は、図１７から図１９で説明したようなレジ担当者の正面側に沿った位置に限られることはない。
即ち、図示しないが、先に述べたレジカウンターにおけるスライド促進部材の設置場所と同様に、買い物客の位置に合わせて自由に配置すればよい。
【産業上の利用可能性】
【００３７】
本発明は、買い物籠を軽い力でレジカウンター上に搬入して移動させることができるため、レジ担当者はもとより、買い物客の労力をも低減させる利点があり、また、ショッピングカートを使うことも対象としているため、買い物客のまとめ買いの傾向が強まっているスーパーマーケット等において、利便性を高めるための施策として利用するのに好適である。
【符号の説明】
【００３８】
Ｔ  レジカウンター
Ｔａ  買い物籠搬入スペース
Ｔｂ  買い物籠搬出スペース
Ｔｃ  レジカウンターＴの載置面
Ｒ  電子多項目キーボード
Ｃ  自動釣銭機
Ｇ  レジ担当者
Ｙ  買い物客
Ｋ  ショッピングカート
Ｐ  買い物客の通路
Ｗ、Ｗ０、Ｗ１、Ｗ２、Ｗ３  買い物籠
Ｓ１、Ｓ２、Ｓ３  商品
１  回転ローラ
１ａ  本体部
１ｂ  軸部
１ｃ  回転ローラ１の本体部１ａの上面
２  軸受部材
３  回転ローラ収納枠体
４  レジカウンター本体
５  天板ボード
６  切欠き部
７  回転ローラ
７ａ  外筒部
７ｂ  内筒部
７ｃカバー
７ｄ  ステンレス球体
１１  回転ボール
１１ａ  上面
１２  抜け止め部材
１２ａ  上面
１３  受け部材
１４、１４ａ  回転ボールユニット
１５  空間
１６  穴部
１７  ユニット本体
１８  小回転ボール
２０  高滑り材
２１、２１ａ  断面略Ｌ字型のスライド嵌合部
２２  取付片
２３  レール部材
２４、２４ａ  嵌合片
【図１】
2017140337.tif 000003
【図２】
2017140337.tif 000004
【図３】
2017140337.tif 000005
【図４】
2017140337.tif 000006
【図５】
2017140337.tif 000007
【図６】
2017140337.tif 000008
【図７】
2017140337.tif 000009
【図８】
2017140337.tif 000010
【図９】
2017140337.tif 000011
【図１０】
2017140337.tif 000012
【図１１】
2017140337.tif 000013
【図１２】
2017140337.tif 000014
【図１３】
2017140337.tif 000015
【図１４】
2017140337.tif 000016
【図１５】
2017140337.tif 000017
【図１６】
2017140337.tif 000018
【図１７】
2017140337.tif 000019
【図１８】
2017140337.tif 000020
【図１９】
2017140337.tif 000021
【手続補正書】
【提出日】平成29年5月24日(2017.5.24)
【手続補正２】
【補正対象書類名】特許請求の範囲
【補正対象項目名】全文
【補正方法】変更
【補正の内容】
【特許請求の範囲】
【請求項１】
買い物籠を買い物客の通路側よりレジ担当者側に押し込む位置から、レジ担当者から買い物客の通路側に押し出す位置に亘って、買い物客の通路側の壁面に、断面略Ｌ字型のレール状嵌合部を水平方向に設けたレジカウンターと、
側方に嵌合片を設けたショッピングカートとで構成され、
上記レジカウンターに設けた断面略Ｌ字型のレール状嵌合部に対して、上記ショッピングカートの側方に設けられた嵌合片を嵌合させた状態で、上記ショッピングカートを、上記レジカウンターにおける、買い物客の買物籠を通路側よりレジ担当者側に押し込む方向の位置から、レジ担当者の買物籠を買い物客の通路側に押し出す方向の位置に亘って、水平方向にスムーズに移動可能としたことを特徴とするレジカウンターシステム
【請求項２】
ショッピングカートの買い物籠載置面の高さは、レジカウンターの上面の高さと略同一に形成することを特徴とする請求項１に記載のレジカウンターシステム
【請求項３】
レジカウンターの上面における、買い物籠を買い物客の通路側からレジ担当者側に押し込む位置、及び又は、レジ担当者から買い物客の通路側に押し出す位置には、買い物籠の移動力を軽減させるスライド促進部材を、その上面がレジカウンターの上面から露出するように配置して設けたことを特徴とする請求項１又は請求項２に記載のレジカウンターシステム
【請求項４】
スライド促進部材は、棒状の回転ローラ、及び又は、回転ボールからなる回転部材で構成することを特徴とする請求項３に記載のレジカウンターシステム
【請求項５】
スライド促進部材は、買い物客の通路側端面からレジ担当者側に向かって、少なくとも買い物籠の底面の面積の約半分に接触する範囲に設けたことを特徴とする請求項３又は請求項４に記載のレジカウンターシステム
【手続補正３】
【補正対象書類名】明細書
【補正対象項目名】０００９
【補正方法】変更
【補正の内容】
【０００９】
上記課題を解決すべく鋭意検討の結果、本発明は、買い物籠を買い物客の通路側よりレジ担当者側に押し込む位置から、レジ担当者から買い物客の通路側に押し出す位置に亘って、買い物客の通路側の壁面に、断面略Ｌ字型のレール状嵌合部を水平方向に設けたレジカウンターと、側方に嵌合片を設けたショッピングカートとで構成され、レジカウンターに設けた断面略Ｌ字型のレール状嵌合部に対して、ショッピングカートの側方に設けられた嵌合片を嵌合させた状態で、ショッピングカートを、レジカウンターにおける、買い物客の買物籠を通路側よりレジ担当者側に押し込む方向の位置から、レジ担当者の買物籠を買い物客の通路側に押し出す方向の位置に亘って、水平方向にスムーズに移動可能としたことを特徴とするレジカウンターシステム、とした。
このようにすれば、ショッピングカートはレジカウンターと移動可能に嵌合する為、買い物籠を無駄なく安定した状態で、レジカウンターに搬入できるので、買い物客の労力を軽減することができる。
【手続補正４】
【補正対象書類名】明細書
【補正対象項目名】００１０
【補正方法】変更
【補正の内容】
【００１０】
なお、ショッピングカートの買い物籠載置面の高さは、レジカウンターの上面の高さと略同一に形成するようにしてもよい。
そうすれば、買い物籠を持ち上げることなく、スライド状態でレジカウンター上に移動できるので、さらに買い物客の労力を軽減することができる。
また、レジカウンターの上面における、買い物籠を買い物客の通路側からレジ担当者側に押し込む位置、及び又は、レジ担当者から買い物客の通路側に押し出す位置には、買い物籠の移動力を軽減させるスライド促進部材を、その上面がレジカウンターの上面から露出するように配置して設けるようにしてもよい。
このようにすれば、軽い力で買い物籠をレジカウンター上に移動させることができる。
その場合、スライド促進部材は、棒状の回転ローラ、及び又は、回転ボールからなる回転部材で構成するのが好ましい対応となる。
この構成であれば、機械的に安定した作用を奏することが可能となる。
なお、スライド促進部材は、買い物客の通路側端面からレジ担当者側に向かって、少なくとも買い物籠の底面の面積の約半分に接触する範囲に設けると、レジカウンターに買い物籠を安定した状態で載置することができるので好適である。